(57)【要約】【課題】  クロスバーにプレス材把持具を短時間に容易に着脱することができ、かつこの着脱によりバキューム配管も余分な作業なしに着脱することができるクロスバーアタッチメント連結具を提供する。  【解決手段】  クロスバーに固定されプレス材把持具を位置決めするためのガイド孔５２ａを有するアタッチメントホルダー５２と、プレス材把持具に固定され前記ガイド孔に嵌合する円筒ピン５４ａを有するアタッチメント取付部材５４とを備える。アタッチメントホルダー５２は、円筒ピン５４ａと平行に間隔を隔てた位置に雌カプラ５６ａを有し、アタッチメント取付部材５４は、ガイド孔５２ａに円筒ピン５４ａを嵌合する際に同時に雌カプラ５６ａに嵌合する位置に雄カプラ５６ｂを有する。【選択図】      図１
2005066671.tif 000002
【特許請求の範囲】
【請求項１】
クロスバーに固定されプレス材把持具を位置決めするためのガイド孔を有するアタッチメントホルダーと、プレス材把持具に固定され前記ガイド孔に嵌合する円筒ピンを有するアタッチメント取付部材とを備え、
前記アタッチメントホルダーは、円筒ピンと平行に間隔を隔てた位置にカプラの一方を有し、
前記アタッチメント取付部材は、ガイド孔に円筒ピンを嵌合する際に同時に前記カプラの一方に嵌合する位置にカプラの他方を有する、ことを特徴とするクロスバーアタッチメント連結具。
【請求項２】
アタッチメント取付部材をアタッチメントホルダーに着脱可能に固定する着脱装置を備える、ことを特徴とする請求項１に記載のクロスバーアタッチメント連結具。
【請求項３】
前記カプラは、一方と他方の連結機構を備えないロックレスカプラである、ことを特徴とする請求項２に記載のクロスバーアタッチメント連結具。
【請求項４】
前記着脱装置は、アタッチメントホルダーに取付けられたストッパー、ノブ、およびコイルバネからなり、円筒ピンがガイド孔に挿入されると、ピン根元部に設けられた段差にストッパーがコイルバネで付勢されてはまり、プレス材把持具を所定の位置に固定する、ことを特徴とする請求項２に記載のクロスバーアタッチメント連結具。
【発明の詳細な説明】
【技術分野】
【０００１】
本発明は、トランスファープレスのクロスバーにプレス材把持具（アタッチメント）を取り付けるためのクロスバーアタッチメント連結具に関する。
【背景技術】
【０００２】
図３は、カム駆動クロスバー式のトランスファープレスの全体斜視図である。クロスバー式のトランスファープレスとは、ライン方向に並設した金型列の両側部にライン方向に延びる１対のフィードバーを設け、このフィードバー間に金型間のピッチと等しいピッチでライン方向と直角に延びるクロスバーを掛け渡して、フィードバーを昇降させると共に、フィードバーに対してクロスバーをライン方向へ往復移動させることにより、各クロスバーに取り付けたプレス材把持具でライン方向上流の金型から下流の金型へプレス材を搬送するようにしたものである。
なお、本発明はカム駆動に限定されず、サーボ駆動、その他であってもよい。
【０００３】
また、ラインの高速化を目的として、図４に例示する台車方式のトランスファープレスが提案されている。この図において、１はライン方向、２はハウジング、３は下金型、４はキャリア、５は上金型、６はスライド、７はプレスステーション、９は搬入ステーション、１０はガイド、１１は搬入台車、１２は送り台車、１３は連結部材、１４は水平ラック、１５はセクタギア、１６はピン、１７はピニオン、１８は垂直ラック、１９はピニオン、２０はクロスバー、２１はプレス材把持具（バキュームカップ等）、２２は揺動中心軸、２３は駆動レバー、２４はカムフォロワ、２５は駆動軸、２６は送りカム、２７はピン、２８は送りロッド、２９は昇降レバー、３０はカムフォロワ、３１は昇降カム、３３は中継レバー、３４，３５，３８，３９はピン、３６は昇降リンク、４０は昇降ロッド、４１はローラである。
【０００４】
この構成により、駆動軸２５の回転駆動により、送りカム２６と昇降カム３１が回転する。送りカム２６が回転すると、カムフォロワ２４、駆動レバー２３、送りロッド２８を介して最下流の送り台車１２がガイド１０に沿ってライン方向１へ往復移動し、更に連結部材１３を介して各送り台車１２及び搬入台車１１もガイド１０に沿ってライン方向１へ往復移動する。
【０００５】
また、昇降カム３１が回転すると、カムフォロワ３０、昇降レバー２９、昇降リンク３６、中継レバー３３、昇降ロッド４０を介してセクタギア１５が回動し、更にピニオン１７、水平ラック１４、ピニオン１９を介して各送り台車１２及び搬入台車１１の垂直ラック１８が昇降する。
【０００６】
従って、送りカム２６と昇降カム３１の両方を回転させることにより、トランスファープレスはプレス材把持具２１の往復動作と昇降動作を繰り返し、搬入ステーション９から供給されたプレス材をライン方向１上流から下流のプレスステーション７へ順に送りながら各プレスステーション７で順次プレス成形することができる。
なお、関連する先行技術として特許文献１がある。
【特許文献１】特開平１１−５７８９８号公報
【発明の開示】
【発明が解決しようとする課題】
【０００７】
上述したトランスファープレスでは、金型やプレス材の変更に伴い、クロスバー２０の取り付けているプレス材把持具２１を交換する必要がある。
【０００８】
図４は、クロスバー２０にプレス材把持具２１（バキュームカップアタッチメント）を取り付けるための従来のクロスバーアタッチメントホルダー４３の部分断面図である。この図において、クロスバーアタッチメントホルダー４３は、ホルダー本体４３ａ、ガイドブロック４３ｂ、ストッパー４３ｃ、ノブ４３ｄ、コイルバネ４３ｅ等からなり、ホルダー本体４３ａはクロスバー２０（例えば角パイプ）の側面にボルト等で固定されている。プレス材把持具２１にはホルダー本体４３ａに設けられた貫通孔に嵌合するピン２１ａが設けられ、ピン２１ａを貫通孔に挿入すると、ピン根元部に設けられた段差にストッパー４３ｃがコイルバネ４３ｅで付勢されてはまり、プレス材把持具２１を所定の位置に固定するようになっている。
プレス材把持具２１を交換する際には、ノブ４３ｄをコイルバネ４３ｅに抗して外方に移動させることにより、段差からストッパー４３ｃが外れ、ピン２１ａを容易に外すことができる。
【０００９】
しかしプレス材把持具２１は通常バキュームカップアタッチメントであり、この場合、プレス材把持具２１を交換すると共に、バキュームカップアタッチメントへのバキューム配管も連結しなおす必要が生じる。そのため、上述した従来のクロスバーアタッチメントホルダー４３ではプレス材把持具２１は短時間に交換できるが、その後、バキューム配管を連結しなおす必要がある問題点があった。
【００１０】
すなわち、プレス材把持具２１は、クロスバー２０の両側に通常８箇所づつ合計１６箇所前後あり、従来アタッチメントの取り付けとバキューム配管の接続を別に行っていたため、交換時間が長くなり、トランスファープレスの稼働率低下の一因となっていた。また、バキューム配管の接続しなおしのために、バキューム配管の少なくとも接続部付近にたるみを設けておく必要があり、その分、作動時に装置の一部と干渉するおそれもあった。
【００１１】
本発明は、上述した問題点を解決するために創案されたものである。すなわち本発明の目的は、クロスバーにプレス材把持具を短時間に容易に着脱することができ、かつこの着脱によりバキューム配管も余分な作業なしに着脱することができるクロスバーアタッチメント連結具を提供することにある。
【課題を解決するための手段】
【００１２】
本発明によれば、クロスバーに固定されプレス材把持具を位置決めするためのガイド孔を有するアタッチメントホルダーと、プレス材把持具に固定され前記ガイド孔に嵌合する円筒ピンを有するアタッチメント取付部材とを備え、前記アタッチメントホルダーは、円筒ピンと平行に間隔を隔てた位置にカプラの一方を有し、前記アタッチメント取付部材は、ガイド孔に円筒ピンを嵌合する際に同時に前記カプラの一方に嵌合する位置にカプラの他方を有する、ことを特徴とするクロスバーアタッチメント連結具が提供される。
【００１３】
上記本発明の構成によれば、アタッチメントホルダーが、カプラの一方を有し、アタッチメント取付部材が、カプラの他方を有するので、ガイド孔に円筒ピンを嵌合させる際に同時にカプラを連結することができる。
従って、クロスバーにプレス材把持具を着脱することによりバキューム配管も余分な作業なしに着脱することができ、アタッチメントの交換時間を短縮し、トランスファープレスの稼働率を高めることができる。
【００１４】
本発明の好ましい実施形態によれば、アタッチメント取付部材をアタッチメントホルダーに着脱可能に固定する着脱装置を備える。
この構成により、クロスバーにプレス材把持具を短時間に容易に着脱することができる。
【００１５】
前記カプラは、一方と他方の連結機構を備えないロックレスカプラである。
この構成により、着脱装置により、カプラの固定を兼用することができ、カプラの着脱をさらに容易にできる。
【００１６】
前記着脱装置は、アタッチメントホルダーに取付けられたストッパー、ノブ、およびコイルバネからなり、円筒ピンがガイド孔に挿入されると、ピン根元部に設けられた段差にストッパーがコイルバネで付勢されてはまり、プレス材把持具を所定の位置に固定する。
この構成により、簡単な構成で、アタッチメント取付部材を正確に位置決めでき、かつ同時にカプラを固定することができる。
【発明の効果】
【００１７】
上述したように、本発明のクロスバーアタッチメント連結具は、クロスバーにプレス材把持具を短時間に容易に着脱することができ、かつこの着脱によりバキューム配管も余分な作業なしに着脱することができる等の優れた効果を有する。
【発明を実施するための最良の形態】
【００１８】
以下、本発明の好ましい実施形態を図面を参照して説明する。なお、各図において、共通する部分には同一の符号を付し重複した説明を省略する。
【００１９】
図１は、本発明のクロスバーアタッチメント連結具の構成図である。なおこの図は、クロスバー２０の側面に取付けられたクロスバーアタッチメント連結具５０を部分的に断面の平面図である。
この図に示すように、本発明のクロスバーアタッチメント連結具５０は、アタッチメントホルダー５２、アタッチメント取付部材５４、カプラ５６および着脱装置５８を備える。
【００２０】
アタッチメントホルダー５２は、ホルダー本体５２ｂと後述するカプラ５６を固定するカプラホルダー５２ｃとからなる。ホルダー本体５２ｂとカプラホルダー５２ｃはこの例では図示しないボルト等で一体に連結されているが、一体に製作してもよい。ホルダー本体５２ｂは、クロスバー２０に図示しないボルト等で固定される。また、アタッチメントホルダー５２は、プレス材把持具を位置決めするためのガイド孔５２ａを有する。
【００２１】
アタッチメント取付部材５４は、図１ではアタッチメントホルダー５２から分離した状態（上側）と連結した状態（下側）を示している。このアタッチメント取付部材５４の図に示す円形孔にプレス材把持具２１の一部を把持することにより、プレス材把持具２１をアタッチメント取付部材５４に固定するようになっている。また、このアタッチメント取付部材５４は、円筒ピン５４ａを有し、この円筒ピン５４ａをアタッチメントホルダー５２のガイド孔５２ａに嵌合することにより、プレス材把持具２１（アタッチメント）をアタッチメントホルダー５２に固定できるようになっている。
【００２２】
カプラ５６は、雌カプラ５６ａと雄カプラ５６ｂとからなる。この例では雌カプラ５６ａは、アタッチメントホルダー５２の円筒ピン５４ａと平行に間隔を隔てた位置に固定され、雄カプラ５６ｂはアタッチメント取付部材５４に固定されている。雄カプラ５６ｂの固定位置は、ガイド孔５２ａに円筒ピン５４ａを嵌合する際に同時に雌カプラ５６ａに嵌合する位置に設定されている。なお雌カプラ５６ａと雄カプラ５６ｂの取付位置は逆であってもよい。
さらにこの例において、雌カプラ５６ａは、配管連結口５７ａを介して図示しない外部のバキューム源に配管接続されている。また、雄カプラ５６ｂはアタッチメント取付部材５４に設けられた配管連結口５７ｂを介して図示しないプレス材把持具２１（バキュームカップアタッチメント）に配管接続されている。従って、雌カプラ５６ａと雄カプラ５６ｂを連結することにより、バキュームカップアタッチメントとバキューム源を配管接続することができる。
【００２３】
また、本発明のカプラ５６は、一方（雌カプラ５６ａ）と他方（雄カプラ５６ｂ）の連結機構を備えないロックレスカプラであり、着脱装置５８により、カプラ５６の固定を兼用し、カプラの着脱を容易にしている。
【００２４】
着脱装置５８は、アタッチメント取付部材５４をアタッチメントホルダー５２に着脱可能に固定する機能を有し、クロスバーにプレス材把持具を短時間に容易に着脱できるようになっている。
【００２５】
この例において、着脱装置５８は、アタッチメントホルダー５２（ホルダー本体５２ｂ）に取付けられたストッパー５８ａ、ノブ５８ｂ、およびコイルバネ５８ｃからなり、円筒ピン５４ａがガイド孔５２ａに挿入されると、ピン根元部に設けられた段差にストッパー５８ａがコイルバネ５８ｃで付勢されてはまり、プレス材把持具を所定の位置に固定し、アタッチメント取付部材５４の正確な位置決めとカプラ５６の固定を同時にするようになっている。
なおプレス材把持具２１を交換する際には、ノブ５８ｂをコイルバネ５８ｃに抗して外方に移動させることにより、段差からストッパー５８ａが外れ、円筒ピン５４ａとカプラ５６を同時に外すことができる。
【００２６】
上記本発明の構成によれば、アタッチメントホルダー５２が、カプラ５６の一方５６ａを有し、アタッチメント取付部材５４が、カプラ５６の他方５６ｂを有するので、ガイド孔５２ａに円筒ピン５４ａを嵌合させる際に同時にカプラ５６ａ、５６ｂを連結することができる。
従って、クロスバーにプレス材把持具を着脱することによりバキューム配管も余分な作業なしに着脱することができ、アタッチメントの交換時間を短縮し、トランスファープレスの稼働率を高めることができる。
【００２７】
なお、本発明は上述した実施形態に限定されず、本発明の要旨を逸脱しない範囲で種々変更できることは勿論である。
【図面の簡単な説明】
【００２８】
【図１】本発明のクロスバーアタッチメント連結具の構成図である。
【図２】従来のトランスファープレスの斜視図である。
【図３】従来のトランスファープレスの構成図である。
【図４】従来のクロスバーアタッチメントホルダーの構成図である。
【符号の説明】
【００２９】
１  ライン方向、２  ハウジング、３  下金型、４  キャリア、
５  上金型、６  スライド、７  プレスステーション、
９  搬入ステーション、１０  ガイド、１１  搬入台車、
１２  送り台車、１３  連結部材、１４  水平ラック、
１５  セクタギア、１６  ピン、１７  ピニオン、１８  垂直ラック、
１９  ピニオン、２０  クロスバー、
２１  プレス材把持具（バキュームカップ）、ピン２１ａ、２２  揺動中心軸、
２３  駆動レバー、２４  カムフォロワ、２５  駆動軸、
２６  送りカム、２７  ピン、２８  送りロッド、２９  昇降レバー、
３０  カムフォロワ、３１  昇降カム、３３  中継レバー、
３４，３５，３８，３９  ピン、３６  昇降リンク、４０  昇降ロッド、
４１  ローラ、４３  クロスバーアタッチメントホルダー、
４３ａ  ホルダー本体、４３ｂ  ガイドブロック、
４３ｃ  ストッパー、４３ｄ  ノブ、４３ｅ  コイルバネ、
５０  クロスバーアタッチメント連結具、
５２  アタッチメントホルダー、５２ａ  ガイド孔、
５４  アタッチメント取付部材、５４ａ  円筒ピン、
５６、５６ａ、５６ｂ  カプラ、
５８  着脱装置、５８ａ  ストッパー、
５８ｂ  ノブ、５８ｃ  コイルバネ
【図１】
2005066671.tif 000003
【図２】
2005066671.tif 000004
【図３】
2005066671.tif 000005
【図４】
2005066671.tif 000006